(57)【特許請求の範囲】
【請求項１】
少なくとも第１および第２の前後一対の針ベッドを有し、その何れか一方または双方の針ベッドが左右摺動可能に構成される横編機を使用し、リブ編み編成される前編地と後編地が前後重ねられて編成される多層編地を、前編地を第１針ベッドに付属させ、後編地を第２針ベッドに付属させて針抜き編成を行うリブ編地編成方法が、前編地の表目を前編地の裏目と同時に前後針ベッド間で目移しする工程と、後編地の表目を後編地の裏目と同時に前後針ベッド間で目移しする工程を含むことを特徴とするリブ編地編成方法。
【請求項２】
請求項１に記載のリブ編地編成方法であって、前編地の表目を前編地の裏目と同時に前後針ベッド間で目移しする工程と、後編地の表目を後編地の裏目と同時に前後針ベッド間で目移しする工程が以下の工程：
（１）前編地の表目と前編地の裏目のそれぞれを前編地の編成に先立って同時に第１針ベッドから第２針ベッドへ目移しする工程、
（２）前編地の表目を第１針ベッドに移し戻す工程、
（３）前編地をリブ編する工程、
（４）前編地のループを第１針ベッドに移し戻す工程、
（５）後編地の表目と後編地の裏目のそれぞれを後編地の編成に先立って同時に第２針ベッドから第１針ベッドへ目移しする工程、
（６）後編地の表目を第２針ベッドに移し戻す工程、
（７）後編地をリブ編する工程、
（８）後編地のループを第２針ベッドに移し戻す工程、
を含むことを特徴とするリブ編地編成方法。
【請求項３】
請求項２に記載のリブ編地編成方法であって
前記工程（４）が前編地の表目を第２針ベッドへ目移しした後、前編地の表目と裏目を同時に第２針ベッドから第１針ベッドへ移し戻す工程を含み、
前記工程（８）が後編地の表目を第１針ベッドへ目移しした後、後編地の表目と裏目を同時に第１針ベッドから第２針ベッドへ移し戻す工程を含むことを特徴とする請求項２に記載のリブ編地編成方法。
【請求項４】
請求項２に記載のリブ編地の編成方法であって、
キャリッジの進行方向に向かって先方側からシステム１〜４の４組の編成カムシステムを備えた横編機を使用し以下の工程：
（１）キャリッジの第１コースにおいて
システム１で後編地の裏目を第２ベッドに移し戻すと共に、前編地のループを全て第２ベッドの針に目移しし、
システム２で前編地の表目を第１ベッドの針に移し戻し、
システム３で前編地をリブ編成し、
システム４で前編地の裏目を第１ベッドの針に移し戻す工程、
（２）キャリッジの第２コースにおいて
システム１で前編地の裏目を第１ベッドに移し戻すと共に、後編地のループを全て第１ベッドの針に目移しし、
システム２で後編地の表目を第２ベッドの針に移し戻し、
システム３で後編地をリブ編成し、
システム４で後編地の裏目を第２ベッドの針に移し戻す工程、
を含むことを特徴とするリブ編地編成方法。
【発明の詳細な説明】
【０００１】
【発明の属する技術分野】
本発明は少なくとも前後一対の針ベッドが対向配置され、前後針ベッドがその長手方向に摺動可能に構成されるとともに、前針ベッド上の編針と後針ベッド上の編針間で目移し可能に構成される横編機上でリブ編地を編成する方法に関する。
【０００２】
【従来の技術】
横編機上で前編地と後編地が両端で連続する筒状編地を編成する際に、前後針ベッドの奇数番目の針に前編地のループを割り当て、偶数番目の針に後編地のループを割り当て、前編地を編成する際には後編地のループを全て後ベッド上の偶数番目の針に係止し、後編地を編成する際には前編地のループを全て前ベッド上の奇数番目の針に係止して編成を行う針抜き編成と呼ばれる編成方法が実施されている。上記のように後編地を編成する際に前編地のループを全て前ベッド上に係止させて形成する編成は前編地を前ベッドに付属させて編成すると表現され、前編地を編成する際に後編地のループを全て後ベッド上に係止させて形成する編成は後編地を後ベッドに付属させて編成すると表現される。
【０００３】
上記針抜き編成に関しては本願出願人の特公平３−７５６５６号公報に詳細に開示される。特公平３−７５６５６号では、前編地および後編地に所定数の表目と、所定数の裏目が交互に配置されるリブ編組織を編成する際に、前編地の裏目となるループおよび後編地の裏目となるループがループの形成に先立って反対側の針ベッド上に目移しし、ループ形成完了後、他方の編地を編成する前に移し戻す編成を繰り返して筒状のリブ編地を編成する。特公平３−７５６５６号に開示される編成方法を図４で説明する。
前編地の編成を開始する図４のステップ１で前編地の裏目を後ベッドに目移しし、ステップ２で給糸口１０１で前編地をリブ編し、ステップ３で前編地の裏目を前ベッドに移し戻す。後編地の編成を開始するステップ４で後編地の裏目を前ベッドに目移しし、ステップ５で給糸口１０１で後編地をリブ編し、ステップ６で後編地の裏目を前ベッドに移し戻す。上記編成をシステム１〜３の３組のカムシステムを備えた横編機で編成する場合、キャリッジの第１コースのシステム１でステップ１、システム２でステップ２、システム３でステップ３を、第２コースのシステム１でステップ４、システム２でステップ５、システム３でステップ６を編成する。上記ステップ１〜６の編成を繰り返して前編地と後編地が筒状に編成される。
【０００４】
上記編成方法では、前編地の裏目を前後ベッド間で目移しするステップ１、ステップ３、後編地の裏目を前後ベッド間で目移しするステップ４、ステップ６の目移しにおいて、シンカーループからニードルループに糸が取り込まれ、ニードルループが目移し前より大きくなる。このように裏目が表目に比べ大きくなると、表目と裏目のニードルループの大きさのバランスが崩れて表目と裏目の風合いが異なってしまう。
上記問題を解決するため、表目を形成する針の引き込み量を裏目を形成する針の引き込み量に比べ大きくすることで表目と裏目のバランスを取る編成方法が実施されている。しかしながらこの方法では、編成された編地を確認しながら表目と裏目のループのバランスが取れるまで何度も編み直しをしなければならない。また、編成に使用する編機・ゲージ・ループ長等の編成条件を変更すると、その度に調整し直さなければならない。
【０００５】
【発明が解決しようとする課題】
本発明は上記した問題に鑑み、針抜き編成により多層状のリブ編地を編成する際に、表目と裏目のニードルループの大きさが均一に揃った編地を編成する方法を開示することを目的とする。
【０００６】
【課題を解決するための手段】
上記した課題を解決するため、本発明のリブ編地の編成方法は、少なくとも第１および第２の前後一対の針ベッドを有し、その何れか一方または双方の針ベッドが左右摺動可能に構成される横編機を使用し、リブ編み編成される前編地と後編地が前後重ねられて編成される多層編地を、前編地を第１針ベッドに付属させ、後編地を第２針ベッドに付属させて針抜き編成を行うリブ編地編成方法が、前編地の表目を前編地の裏目と同時に前後針ベッド間で目移しする工程と、後編地の表目を後編地の裏目と同時に前後針ベッド間で目移しする工程を含むことを特徴とする。上記の発明の構成によれば、第１針ベッドと第２針ベッドを使用し、前編地を編成する際に後編地のループを第２針ベッドの針に付属させ、後編地を編成する際に前編地のループを第１ベッドの針に付属させ、前編地の編成に編幅の側端から奇数番目の針を、後編地の編成に偶数番目の針を使用する針抜き編成により編成する。前編地および後編地は交互に編成され、一方の編地が編成される間、他方の編地は一方の針ベッド上に全てのループが係止される。リブ編ループを形成するステップでは裏目を形成するループと同時に表目を形成するループを前後針ベッド間で目移しした後、表目を形成するループを元の針ベッド上に移し戻す。裏目を形成するループと表目を形成するループを同時に前後針ベッド間で目移しするので、表目または裏目のニードルループの大きさが均一に揃った編地が編成される。
【０００７】
また、前編地の表目を前編地の裏目と同時に前後針ベッド間で目移しする工程と、後編地の表目を後編地の裏目と同時に前後針ベッド間で目移しする工程が以下の工程：
（１）前編地の表目と前編地の裏目のそれぞれを前編地の編成に先立って同時に第１針ベッドから第２針ベッドへ目移しする工程、
（２）前編地の表目を第１針ベッドに移し戻す工程、
（３）前編地をリブ編する工程、
（４）前編地のループを第１針ベッドに移し戻す工程、
（５）後編地の表目と後編地の裏目のそれぞれを後編地の編成に先立って同時に第２針ベッドから第１針ベッドへ目移しする工程、
（６）後編地の表目を第２針ベッドに移し戻す工程、
（７）後編地をリブ編する工程、
（８）後編地のループを第２針ベッドに移し戻す工程、
を含むことも特徴の一つである。上記の発明の構成によれば、リブ編形成前に表目と裏目同時の目移しを行う。
【０００８】
また、前記工程（４）が前編地の表目を第２針ベッドへ目移しした後、前編地の表目と裏目を同時に第２針ベッドから第１針ベッドへ移し戻す工程を含み、
前記工程（８）が後編地の表目を第１針ベッドへ目移しした後、後編地の表目と裏目を同時に第１針ベッドから第２針ベッドへ移し戻す工程を含むことも特徴の一つである。上記発明の構成によれば、リブ編形成前と形成後に表目と裏目同時の目移しを行う。
【０００９】
また、キャリッジの進行方向に向かって先方側からシステム１〜４の４組の編成カムシステムを備えた横編機を使用し以下の工程：
（１）キャリッジの第１コースにおいて
システム１で後編地の裏目を第２ベッドに移し戻すと共に、前編地のループを全て第２ベッドの針に目移しし、
システム２で前編地の表目を第１ベッドの針に移し戻し、
システム３で前編地をリブ編成し、
システム４で前編地の裏目を第１ベッドの針に移し戻す工程、
（２）キャリッジの第２コースにおいて
システム１で前編地の裏目を第１ベッドに移し戻すと共に、後編地のループを全て第１ベッドの針に目移しし、
システム２で後編地の表目を第２ベッドの針に移し戻し、
システム３で後編地をリブ編成し、
システム４で後編地の裏目を第２ベッドの針に移し戻す工程、
を含むことも特徴の一つである。
【００１０】
【発明の実施の形態】
本発明の実施の一例を図面と共に詳細に説明する。以下に示す第一〜第三実施例では、前後一対の針ベッドを備え、後ベッドが前ベッドに対し長手方向に摺動可能な二枚ベッド横編機を使用し、表目と裏目が交互に配置される１×１リブ編組織を編成する場合を説明する。
【００１１】
＜第一実施例＞
第一実施例では針ベッド上を往復走行するキャリッジ上に設けられ、針ベッド上の編針を進退駆動するシステム１〜３の３組の編成カムシステムを備えた横編機を使用する。第一実施例はリブ編編成前と編成後の両方で表目と裏目同時の目移しを行うことを特徴とする。以下の説明では、説明の便宜上、実際の編成で使用される針数に比べ極小数の針のみを使用する。
図１−Ａは第一実施例を示す編成ステップ図である。ステップＳは筒状編地のリブ編開始前の状態を示し、前編地のループが白丸で、後編地のループが黒丸で示される。図１−Ｂは図１−Ａのステップ１〜１０の編成が行われるカムシステムを示す編成動作図である。左右方向の矢印はキャリッジの進行方向を示し、上下方向の矢印は前後ベッド間の目移しを、Ｋはニット編成を示す。
【００１２】
図１−ＡのステップＳにおいて、前編地のループは前ベッドの編幅の左端から奇数番目の針に、後編地のループは後ベッドの偶数番目の針に係止される。本実施例では、前後両針ベッドの編幅の左端から奇数番目の針を前編地編成用、偶数番目の針を後編地編成用とし、前後一対の針の内、いずれか一方の針のみがループを係止した状態で編成を行うことで、対向する針ベッド上の針を目移し用の空針として使用する針抜き編成により編成する。
ステップ１より１×１リブ編組織の編成を開始する。ステップ１では前ベッド上の前編地のループを全て対向する後ベッドの針に目移しする。ステップ２では前編地のループのうち、表目を形成する編幅左端から１・５番目のループを前ベッドに目移しする。ステップ３では前後両針ベッド上の前編地編成用の針に給糸口１で右向きに給糸してリブ編する。ステップ４では前編地の表目を後ベッドに移し、ステップ５では前編地のループを全て前ベッドに移し戻す。
【００１３】
ステップ６では後ベッド上の後編地のループを全て前ベッドに目移しする。ステップ７では後編地の表目が形成される編幅左端から２・６番目のループを後ベッドに目移しする。ステップ８では前後両針ベッド上の後編地編成用の針に給糸口１により左向きに給糸してリブ編する。ステップ９では後編地の表目を前ベッドに移し、ステップ１０では後編地のループを全て後ベッドに移し戻す。
上記ステップ１〜１０の編成は図１-Ｂに示すように各カムシステムに割り当てられて編成される。キャリッジが右方向に走行するコース１では、進行方向に向かって最先方側のシステム１で前記ステップ１の編成を行い、システム２でステップ２、システム３でステップ３のニットを行う。続いて左方向に走行するコース２ではシステム１でステップ４を、システム２でステップ５の目移しを行う。コース３ではシステム１でステップ６、システム２でステップ７の目移しを行う。コース４ではシステム１でステップ８のニットを、システム２でステップ９、システム３でステップ１０の目移しを行う。上記コース１〜４の編成を繰り返すことでキャリッジの４コースにより前編地および後編地がそれぞれ１コースずつ形成され、筒状のリブ編地が編成される。
【００１４】
上記編成では、前編地の裏目および後編地の裏目を対向する針ベッド上に移す目移し（ステップ１、ステップ７）、およびリブ編形成後に元の針ベッド上に移す目移し（ステップ５、ステップ１０）において、従来の編成方法では目移しを必要としない前編地の表目を裏目と同時に目移しする。本実施例の編成方法においてもステップ２、ステップ４、ステップ７、ステップ９において表目のみを単独で目移しを行うことで表目のニードルループにシンカーループの一部が取り込まれる。しかしながら、ステップ１、ステップ５、ステップ６、ステップ１０で行う表目と裏目同時の目移しの際に、表目と裏目に均等に力がかかることで、表目と裏目のループが等しい状態へと戻ろうとする力が作用し、前記ステップ２、ステップ４、ステップ７、ステップ９の目移しによりニードルループに引き込まれたシンカーループ部分が元のループに引き戻される。これにより、本実施例の編成方法にしたがって編成された編地は、表目と裏目のニードルループの大きさが均一に揃った編地となる。
【００１５】
＜第二実施例＞
次に第二実施例を説明する。第二実施例は表目と裏目同時の目移しをリブ編編成前のみで行うことを特徴とする。
図２−ＡのステップＳはリブ編編成前を示す。第一実施例と同様、前編地のループが白丸で、後編地のループが黒丸で示され、上下方向の矢印は目移しを、左右方向の矢印はキャリッジの進行方向を示す。
図２−Ａのステップ１では前編地のループを全て前ベッドに目移しする。ステップ２では前編地の表目を前ベッドに目移しする。ステップ３では給糸口を右方向に移動させ前後両針ベッドの針に交互に給糸して前編地をリブ編する。ステップ４では前編地の裏目を前ベッドに移し戻す。
後編地の編成を開始するステップ５では後編地のループを全て前ベッドの針に目移しする。ステップ６では後編地の表目を後ベッドに移し戻す。ステップ７では給糸口３を左方向に移動させ前後両針ベッドの針に給糸して後編地をリブ編する。ステップ８では後編地の裏目を後ベッドに目移しする。
【００１６】
上記ステップ１〜８の編成は図２-Ｂの編成動作図に従って編成される。キャリッジが右方向に走行するコース１では、最先方側のシステム１で前記ステップ１の編成を行い、システム２でステップ２、システム３でステップ３のニットを行う。続いて左方向に走行するコース２ではシステム１でステップ４とステップ５の目移しを、システム２でステップ６の目移し、システム３でステップ７のニットを行う。上記コース１と２の編成を繰り返すことでキャリッジの２コースにより前編地および後編地がそれぞれ１ステップずつ形成されて筒状編地が編成される。コース１のシステム１で行われるステップ１とステップ８の編成、コース２のシステム１で行われるステップ４とステップ５の編成は同時に行う。
第二実施例によれば、３カム横編機でキャリッジの２コースにより前編地および後編地をそれぞれ１コースづつ編成可能で、従来の編成方法と同じ編成効率で編成できる。第二実施例ではステップ２および６で表目が、ステップ４および８で裏目が目移しされ、ステップ１および５で表目と裏目を同時に目移しが行われる。このように第二実施例の編成方法では表目と裏目の目移し回数が同じであり、その内の1回が表目と裏目同時の目移しにより行われるので、表目のみの目移しの際に引き出されたシンカーループがニードルループへと引き戻されて、表目と裏目のニードルループの大きさが均一に揃った編地となる。
【００１７】
＜第三実施例＞
次に本発明の第三実施例を説明する。第三実施例はシステム１〜４の４組のカムシステムを備えた横編機で第一実施例と同じ編成を行う点を特徴とする。
第三実施例で行う編成は第一実施例のステップ１〜１０と同じである。第三実施例では図１のステップ１〜１０の編成を図３に示す様に各システムに割り当てる。右方向に編成するコース１ではシステム１でステップ１と１０の目移し、システム２でステップ２の目移し、システム３でステップ３の前編地のニット、システム４でステップ４の目移しを行う。左方向に編成するコース２ではシステム１でステップ５と６の目移し、システム２でステップ７の目移し、システム３でステップ８の後編地のニット、システム４でステップ９の目移しを行う。第三実施例では第一実施例と同じ編成を従来の編成方法と同じキャリッジの２コース当たり前編地および後編地をそれぞれ１コースを形成する高い編成効率で編成できる。第三実施例により編成された編地は、第一実施例同様表目と裏目のニードルループの大きさが均一に揃った品質の高い編地となる。
【００１８】
上記実施例では前編地と後編地がその両端で連続する筒状編地を編成する場合を説明したが、筒状編地に限らず多層の編地を編成することも可能である。
上記したように本発明によれば、従来の編成方法では目移しが不要な前編地およ表目および後編地の表目を前後ベッド間で目移しすることで、シンカーループからニードルループに取り込まれた編糸が元のニードルループに引き戻されるので表目と裏目のニードルループの大きさが均一に揃った品質の高い編地を編成できる。上記実施例では１×１リブ編組織を編成する場合を説明したが、２×２リブ編やそれ以外のリブ編組織の編成にも実施できる。
【図面の簡単な説明】
【図１】図１−Ａは第一実施例を示す編成ステップ図であり、図１−Ｂは第一実施例における各カムシステムの編成動作を示す図である。
【図２】図２−Ａは第二実施例を示す編成ステップ図であり、図２−Ｂは第二実施例における各カムシステムの編成動作を示す図である。
【図３】第三実施例における各カムシステムの編成動作を示す図である。
【図４】図４−Ａは従来の編成方法を示す編成ステップ図であり、図４−Ｂは各カムシステムの編成動作を示す図である。
【符号の説明】
１…給糸口、３…給糸口、１０１…給糸口
【図１】
0003888868.tif 000002
【図２】
0003888868.tif 000003
【図３】
0003888868.tif 000004
【図４】
0003888868.tif 000005